(57)【要約】  タッチセンシティブ面のための圧力ボタン、タッチセンシティブ面のための物理的インターフェース、タッチセンシティブ面のための保護素子、特にスマートフォン又はタブレットなどの端末のタッチスクリーン。本発明の目的は、タッチセンシティブ面のための物理的圧力ボタンを提供することである。圧力ボタンは、圧力ボタンを前記圧力ボタンの上面から下面まで貫通する接触スイッチを有する。接触スイッチは、圧力ボタンがタッチセンシティブ面上に位置するときにタッチセンシティブ面を介して端末との相互作用を可能にするのに好適である。ユーザは、したがって、このインターフェースのためのコネクタを必要とすることなく、圧力ボタンによって端末と相互作用し得る。これは、コネクタの脆弱性又は端末との物理的インターフェースの結合から生じるリスクを低減する。
2020514906.tif 000002
【特許請求の範囲】
【請求項１】
タッチセンシティブ面のための物理的プッシュボタンであって、前記プッシュボタンを前記プッシュボタンの上面から前記プッシュボタンの下面まで貫通する接触器であって、前記プッシュボタンがタッチセンシティブ面上に位置するときに前記タッチセンシティブ面による端末との相互作用を可能にすることができる接触器を含むプッシュボタン。
【請求項２】
・ユーザの指が前記プッシュボタンに圧力をかけることを可能にする上面と、
・前記タッチセンシティブ面の上に位置する下面であって、圧力が前記プッシュボタン上にかけられると、前記タッチセンシティブ面と接触されることができる下面と、
・前記プッシュボタンを前記プッシュボタンの前記上面から前記下面まで貫通する接触器と
を含み、前記接触器は、
−  前記プッシュボタンの前記上面に圧力をかける前記ユーザの前記指に接触するように前記上面上に位置し、且つ
−  前記下面が前記タッチセンシティブ面と接触されると前記タッチセンシティブ面に接触するように前記下面上に位置することを特徴とする、請求項１に記載のプッシュボタン。
【請求項３】
複数の接触器を含み、各接触器は、前記プッシュボタンの前記上面及び前記下面上の別個の位置を有し、前記タッチセンシティブ面の別個の部分との相互作用を可能にすることを特徴とする、請求項１又は２に記載の物理的プッシュボタン。
【請求項４】
前記プッシュボタンを前記タッチセンシティブ面に対する位置に留めるための留め具を含むことを特徴とする、請求項１〜３のいずれか一項に記載の物理的プッシュボタン。
【請求項５】
少なくとも１つの可撓性材料で形成されることを特徴とする、請求項１〜４のいずれか一項に記載の物理的プッシュボタン。
【請求項６】
前記接触器は、少なくとも１つの導電材料で形成されることを特徴とする、請求項１〜５のいずれか一項に記載の物理的プッシュボタン。
【請求項７】
タッチセンシティブ面のための少なくとも１つの物理的プッシュボタンを含む、タッチセンシティブ面のための物理的インターフェースであって、前記プッシュボタンは、前記プッシュボタンを前記プッシュボタンの上面から前記プッシュボタンの下面まで貫通する接触器を含み、前記接触器は、前記プッシュボタンがタッチセンシティブ面上に位置するときに前記タッチセンシティブ面による端末との相互作用を可能にすることができる、物理的インターフェース。
【請求項８】
前記端末に対する前記物理的インターフェースの識別子のプロバイダを含み、それにより、前記物理的インターフェースの前記識別子は、前記端末が前記端末との仮想インターフェースを修正することを可能にし、前記修正は、前記物理的インターフェースの前記識別子に依存することを特徴とする、請求項７に記載の物理的インターフェース。
【請求項９】
前記識別子プロバイダは、以下の装置：
・前記物理的インターフェースに付けられたシンボル、
・前記物理的インターフェースの前記識別子を含むメモリを有する送信回路であって、接触ベース又は非接触送信回路である送信回路
の少なくとも１つからなることを特徴とする、請求項８に記載の物理的インターフェース。
【請求項１０】
前記識別子プロバイダは、コントローラを含み、前記識別子プロバイダは、前記コントローラによって生成される仮想インターフェース適応化命令を送信し、前記適応化命令は、前記適応化命令に含まれる前記物理的インターフェースの前記識別子に依存して前記仮想インターフェースの修正をトリガすることを特徴とする、請求項８に記載の物理的インターフェース。
【請求項１１】
端末との相互作用を可能にすることができるタッチセンシティブ面の少なくとも一部を覆う、タッチセンシティブ面のための保護装置であって、前記保護装置の前部は、タッチセンシティブ面のための少なくとも１つのプッシュボタン又はタッチセンシティブ面のための少なくとも１つのプッシュボタンを含む、タッチセンシティブ面のための物理的インターフェースを含み、前記プッシュボタンは、前記プッシュボタンを前記プッシュボタンの上面から前記プッシュボタンの下面まで貫通する接触器を含み、前記接触器は、前記プッシュボタンがタッチセンシティブ面上に位置するときに前記タッチセンシティブ面による端末との相互作用を可能にすることができる、保護装置。
【請求項１２】
端末のための仮想インターフェース方法であって、タッチセンシティブ面のためのプッシュボタンを前記プッシュボタンの上面から前記プッシュボタンの下面まで貫通する接触器により、前記プッシュボタンがタッチセンシティブ面上に位置するときに前記タッチセンシティブ面によって前記端末との相互作用を捕捉する工程を含む仮想インターフェース方法。
【請求項１３】
タッチセンシティブ面のための物理的インターフェースの識別子に依存して仮想インターフェースを修正する工程を含み、前記物理的インターフェースは、タッチセンシティブ面のための少なくとも１つのプッシュボタンと、前記端末に対する前記物理的インターフェースの前記識別子のプロバイダとを含むことを特徴とする、請求項１２に記載の仮想インターフェース方法。
【請求項１４】
プログラムであって、前記プログラムがプロセッサによって実行されると、請求項１２又は１３に記載の仮想インターフェース方法の工程を実行するためのプログラムコード命令を含むプログラム。
【請求項１５】
端末であって、タッチセンシティブ面のためのプッシュボタンを前記プッシュボタンの上面から前記プッシュボタンの下面まで貫通する接触器により、前記プッシュボタンがタッチセンシティブ面上に位置するときに前記タッチセンシティブ面によって前記端末との相互作用を捕捉することができる仮想インターフェースを含む端末。
【発明の詳細な説明】
【技術分野】
【０００１】
本発明は、タッチセンシティブ面のためのプッシュボタン、タッチセンシティブ面のための物理的インターフェース及びタッチセンシティブ面のための保護装置、特にスマートフォン又はタブレットなどの端末のタッチスクリーンに関する。
【背景技術】
【０００２】
特にタブレット及びスマートフォンなどのタッチスクリーンを備えた端末のタッチセンシティブ面の使用が広く普及している。
【０００３】
これらのタッチインターフェースは、端末とのいくつかの相互作用（特に入力相互作用）をそれほど簡単にしない。
【０００４】
さらに、力フィードバック（すなわちユーザの行為に対する抵抗）の欠如もタッチセンシティブ面の欠点である。この抵抗は、アプリケーションが実施されると端末によって提示される体験を強化し得る。
【０００５】
加えて、力フィードバックは、端末との相互作用を顧客にとってもより快適にし得る。具体的には、タッチセンシティブ面は、手の関節に対して使用することがより柔軟であるキーパッド若しくはゲームパッドのキー又はゲームパッドのジョイスティックとは対照的に、関節への衝撃に到る固い面である。
【０００６】
この理由のため、ポータブルコンピュータとタブレットとの間のハイブリッド端末は、タブレットのキーパッド又はスマートフォンのゲームパッドなどの端末に接続されるインターフェースとは独立に設計されており、これらの端末によって実施されるいくつかのアプリケーションの使用を容易にするために提供される。
【発明の概要】
【発明が解決しようとする課題】
【０００７】
本発明の目的の１つは、従来技術に対する改善を提供することである。
【課題を解決するための手段】
【０００８】
本発明の１つの主題は、タッチセンシティブ面のための物理的プッシュボタンである。プッシュボタンは、プッシュボタンをプッシュボタンの上面からプッシュボタンの下面まで貫通する接触器であって、プッシュボタンがタッチセンシティブ面上に位置するときにタッチセンシティブ面による端末との相互作用を可能にすることができる接触器を含む。
【０００９】
したがって、ユーザは、このインターフェースの接続システムを必要とすることなく、プッシュボタンによって端末と相互作用し得る。したがって、接続システムの脆弱性又は物理的インターフェースと端末とのペアリングに関係するリスクが低減される。
【００１０】
有利には、プッシュボタンは、
・ユーザの指がプッシュボタンに圧力をかけることを可能にする上面と、
・タッチセンシティブ面の上に配置される下面であって、圧力がプッシュボタンにかけられると、タッチセンシティブ面と接触されることができる下面と、
・プッシュボタンをプッシュボタンの上面から下面まで貫通する接触器と
を含み、接触器は、
−  プッシュボタンの上面に圧力をかけるユーザの指に接触するように上面に位置し、且つ
−  下面がタッチセンシティブ面と接触されるとタッチセンシティブ面に接触するように下面上に位置する。
【００１１】
したがって、プッシュボタンは、タッチセンシティブ面を介して端末と相互作用するために、通常、指によって行われる接触をタッチセンシティブ面に直接伝える。
【００１２】
有利には、プッシュボタンは、複数の位置決めされた接触器を含み、各接触器は、プッシュボタンの上面及び下面上の別個の位置を有し、タッチセンシティブ面の別個の面との相互作用を可能にする。
【００１３】
したがって、プッシュボタンは、指向性パッドとして、スクロールバーとして等の役割を果たし得る。
【００１４】
有利には、プッシュボタンは、プッシュボタンをタッチセンシティブ面に対する位置に留めるための留め具を含む。
【００１５】
したがって、プッシュボタンの位置は、その位置にかかわらず、タッチセンシティブ面に対して安定することになる。これは、コンテンツを読むことが活性化されるか又は読むことが休止されることを可能にするようにボタンが特定の位置に位置するいくつかのアプリケーションにおいて（特にコンテンツを読む際に）有益であり得る。
【００１６】
有利には、プッシュボタンは、少なくとも１つの可撓性材料で形成される。
【００１７】
したがって、可撓性材料は、圧力がかけられない限り接触器を一定の距離に維持することを可能にし、圧力がプッシュボタンにかけられると接触器をタッチセンシティブ面に接触させ得る。
【００１８】
有利には、接触器は、導電材料で形成される。
【００１９】
したがって、接触器は、端末と相互作用するためにタッチセンシティブ面上において直接的な接触中に通常行われる指の導電を伝える。
【００２０】
本発明の１つの主題は、タッチセンシティブ面のための少なくとも１つの物理的プッシュボタンを含む、タッチセンシティブ面のための物理的インターフェースであって、プッシュボタンは、プッシュボタンをプッシュボタンの上面からプッシュボタンの下面まで貫通する接触器を含み、接触器は、プッシュボタンがタッチセンシティブ面上に位置するときにタッチセンシティブ面による端末との相互作用を可能にすることができる、物理的インターフェースでもある。
【００２１】
したがって、キーパッド、数字キーパッド及び／又は指向性パッド若しくはゲームパッドは、この物理的インターフェースの接続システムを必要とすることなく、ユーザがこの物理的インターフェースによって端末と相互作用することを可能にし、同時に接続システムの脆弱性又は物理的インターフェースと端末とのペアリングに関係するリスクを低減する。
【００２２】
有利には、物理的インターフェースは、端末に対する物理的インターフェースの識別子のプロバイダを含み、それにより、物理的インターフェースの識別子は、端末が端末との仮想インターフェースを修正することを可能にし、修正は、物理的インターフェースの識別子に依存する。
【００２３】
したがって、単一の物理的インターフェースは、端末によって実施される複数の別個のアプリケーションによって使用されることができ得る。これは、各アプリケーションがそれ自体の独自の開発インターフェースを開発することと、端末によって実施されるアプリケーションの不適切な物理的インターフェースを使用する過ち（タッチセンシティブ面に対する正しくない相互作用位置、物理的インターフェース上の相互作用のタイプの正しくない指標等）のリスクとを回避する。
【００２４】
有利には、識別子プロバイダは、以下の装置：
・物理的インターフェースに付けられたシンボル、
・物理的インターフェースの識別子を含むメモリを有する送信回路であって、接触ベース又は非接触送信回路である送信回路
の少なくとも１つからなる。
【００２５】
したがって、タッチセンシティブ面と共同して端末によって実現される仮想インターフェースは、このタッチセンシティブ面を介して端末と相互作用するように使用される物理的インターフェースに自動的に適応化される。
【００２６】
有利には、識別子プロバイダは、コントローラを含み、識別子プロバイダは、コントローラによって生成される仮想インターフェース適応化命令を送信し、適応化命令は、適応化命令に含まれる物理的インターフェースの識別子に依存して仮想インターフェースの修正をトリガする。
【００２７】
したがって、端末の仮想インターフェースの適応化を制御するのは、物理的インターフェースであり、適応化をトリガする物理的インターフェースの検出を端末が実施することを回避する。
【００２８】
本発明の１つの主題は、端末との相互作用を可能にすることができるタッチセンシティブ面の少なくとも一部を覆う、タッチセンシティブ面のための保護装置であって、保護装置の前部は、タッチセンシティブ面のための少なくとも１つのプッシュボタン又はタッチセンシティブ面のための少なくとも１つのプッシュボタンを含む、タッチセンシティブ面のための物理的インターフェースを含み、プッシュボタンは、プッシュボタンをプッシュボタンの上面からプッシュボタンの下面まで貫通する接触器を含み、接触器は、プッシュボタンがタッチセンシティブ面上に位置するときにタッチセンシティブ面による端末との相互作用を可能にすることができる、保護装置でもある。
【００２９】
したがって、物理的インターフェースは、ユーザと端末との相互作用における役割：使用快適性、及び／又は力フィードバック、及び／又は相互作用の容易さと同時に、接続問題のリスクを制限することだけでなく、保護的な役割、特に衝撃に対する保護も有する。
【００３０】
本発明の１つの主題は、端末のための仮想インターフェース方法であって、タッチセンシティブ面のためのプッシュボタンをプッシュボタンの上面からプッシュボタンの下面まで貫通する接触器により、プッシュボタンがタッチセンシティブ面上に位置するときにタッチセンシティブ面によって端末との相互作用を捕捉する工程を含む仮想インターフェース方法でもある。
【００３１】
有利には、仮想インターフェース方法は、タッチセンシティブ面のための物理的インターフェースの識別子に依存して仮想インターフェースを修正する工程を含み、物理的インターフェースは、タッチセンシティブ面のための少なくとも１つのプッシュボタンと、端末に対する物理的インターフェースの識別子のプロバイダとを含む。
【００３２】
したがって、仮想インターフェースは、物理的インターフェースに適応化され、端末によって実施される処理操作又はアプリケーションにかかわらず物理的インターフェースによる端末との相互作用の最適化を可能にする。
【００３３】
有利には、本発明の１つの実施形態によると、本発明による方法の様々な工程は、ソフトウェア又はコンピュータプログラムによって実施され、このソフトウェアは、ユーザがタッチセンシティブ面によって相互作用する端末のデータ処理装置によって実行されるように意図されたソフトウェア命令を含み、この方法の様々な工程の実行を命令するように設計される。
【００３４】
したがって、本発明は、プログラムであって、プログラムがプロセッサによって実行されると、本発明による仮想インターフェース方法の工程を実行するためのプログラムコード命令を含むプログラムも対象とする。
【００３５】
このプログラムは、任意のプログラミング言語を使用し得、部分的にコンパイルされた形式又は任意の他の望ましい形式などのソースコード、オブジェクトコード又はソースコードとオブジェクトコードとの間の中間コードの形式であり得る。
【００３６】
本発明の１つの主題は、端末であって、タッチセンシティブ面のためのプッシュボタンをプッシュボタンの上面からプッシュボタンの下面まで貫通する接触器により、プッシュボタンがタッチセンシティブ面上に位置するときにタッチセンシティブ面によって端末との相互作用を捕捉することができる仮想インターフェースを含む端末でもある。
【００３７】
本発明の他の特徴と利点は、一例として与えられる説明と添付図面とを読むことでより明確になる。
【図面の簡単な説明】
【００３８】
【図１ａ−ｂ】従来技術によるタッチスクリーン又はスマートフォンのゲームパッド及びタブレットのキーパッドを有する端末の物理的インターフェースを示す。
【図２ａ−ｂ】プッシュボタンが静止状態にある場合と、プッシュボタンに圧力がかかっている（特にユーザの指から）場合とのそれぞれの本発明の第１の実施形態におけるプッシュボタンの断面で見た簡略図を示す。
【図３】本発明の第２の実施形態におけるプッシュボタンの断面で見た簡略図を示す。
【図４】本発明によるマルチ接触器プッシュボタンの簡略化２次元図を示す。
【図５ａ−ｂ】タッチセンシティブ面の吸引又はタッチセンシティブ面の保護装置との相互作用を介した本発明によるプッシュボタンの留め具の別個の実施形態の簡略図をそれぞれ示す。
【図６ａ−ｂ】本発明による物理的インターフェースの簡略図、すなわち物理的インターフェースの全体図及び物理的インターフェースの一部の断面図をそれぞれ示す。
【図７ａ−ｃ】本発明による保護装置の簡略図、すなわちキーパッドを組み込む保護装置の全体図、ゲームパッドを組み込む保護装置の全体図及び断面図をそれぞれ示す。
【図８ａ−ｄ】本発明による保護装置の様々な例示的実施形態の簡略図を示す。
【図９】本発明による仮想インターフェース方法の簡略図を示す。
【図１０】本発明による端末の図を示す。
【発明を実施するための形態】
【００３９】
図１ａ及び図１ｂは、従来技術によるタッチスクリーンを有する端末の物理的インターフェースを示す。
【００４０】
これらの図において、端末１Ａ、１Ｂは、タッチスクリーン１０を含む。この端末１Ａ、１Ｂと相互作用するために、ユーザは、例えば、端末１Ａ、１Ｂによって実施される仮想インターフェースの命令を表示するスクリーンのゾーン上でタッチスクリーン１０に接触するために自らの指の少なくとも１つを使用する。
【００４１】
従来技術は、ユーザと、これらのタッチスクリーン端末１Ａ、１Ｂとの相互作用を容易にするために、それらを、物理的に（マイクロＵＳＢ、ＵＳＢなどにより）又は無線ペアリング（ブルートゥース、Ｗｉ−Ｆｉなど）を介して物理的インターフェース２０’Ａ、２０’Ｂに接続することを提案する。物理的インターフェース２０’Ａ、２０’Ｂは、場合により、支持装置２’Ａ、２’Ｂ上に実装され、特に端末１Ａ、１Ｂを所定の位置に維持することを可能にし、こうしてユーザの視ること及び読むことの便宜を提供する。
【００４２】
図１ａは、スマートフォン１Ａのゲームパッド２０’Ａを示す。加えて、図１ｂは、タブレット１Ｂのキーパッド２０’Ｂを示す。
【００４３】
図２ａ及び図２ｂは、本発明の第１の実施形態におけるタッチセンシティブ面のプッシュボタンの断面で見た簡略図を示す。図３は、第２の実施形態におけるプッシュボタンを示す。
【００４４】
これらの３つの図は、端末３に接続されるグラフィックタブレット１のタッチセンシティブ面１０などのタッチセンシティブ面又は端末１のタッチスクリーン１０の物理的プッシュボタン２を示す。物理的プッシュボタン２は、タッチセンシティブ面１０上に位置するときにタッチセンシティブ面１０による端末１、３との相互作用を可能にすることができる。
【００４５】
プッシュボタン２は、特に図２ａ及び図２ｂによって示されるように、プッシュボタン２をプッシュボタンの上面２Ｓからプッシュボタンの下面２Ｉまで貫通する接触器２２を含む。
【００４６】
したがって、ユーザＵは、タッチセンシティブ面１０との直接的な接触を介さないが、この追加のインターフェース（プッシュボタンを含む）の接続システムを必要とすることなく、少なくとも１つのプッシュボタン２を介して端末１、３と相互作用することができる。したがって、接続システムの脆弱性又は物理的インターフェースと端末とのペアリングに関係するリスクが低減される。
【００４７】
このようなプッシュボタン２は、端末３との所与の相互作用を命令するために、ある時点でタッチセンシティブ面１０に対する相対位置にユーザＵによって置かれ得る。相互作用が終了すると、プッシュボタン２は、タッチセンシティブ面１０に対する同じ位置に留まることができ、こうして相互作用の誤りのリスクを制限する一方、同じ相互作用をその後再び命令することを可能にする。具体的には、端末３との相互作用をトリガするためのタッチセンシティブ面１０と接触するためにユーザの指又はスタイラスを使用することで、この位置が維持されることを防止する。ユーザは、他の行為のために自らの手を使用する（したがってスタイラスが降ろされる必要がある）。
【００４８】
特に、プッシュボタン２は、
・ユーザＵの指がプッシュボタン２に圧力をかけることを可能にする上面２Ｓと、
・タッチセンシティブ面１０の上に位置する下面２Ｉであって、圧力がプッシュボタン２にかけられると、タッチセンシティブ面１０と接触されることができる下面２Ｉと、
・プッシュボタン２をプッシュボタン２の上面２Ｓから下面２Ｉまで貫通する接触器２２と
を含み、接触器２２は、
−  プッシュボタン２の上面２Ｓに圧力をかけるユーザＵの指に接触するＣＤように上面２Ｓ上に位置し、且つ
−  下面２Ｉがタッチセンシティブ面１０と接触されるとタッチセンシティブ面１０に接触するＣＳように下面２Ｉ上に位置する。
【００４９】
特に、プッシュボタン２は、少なくとも１つの可撓性材料２１で形成される。
【００５０】
特に、接触器２２は、導電材料で形成される。導電材料は、特に高分子又はエラストマーなどの可撓性材料であるか又は特に柔軟性の観点で類似の物理的特徴を有する。
【００５１】
特に、プッシュボタン２は、主として非導電性可撓性材料で作られるものから、主として導電材料２２で作られるものまで、可変比率の可撓性材料２１及び導電材料２２を含み得る。例えば、タッチセンシティブ面１０と連続的に接触するプッシュボタン２の周囲２１０のみが非導電性可撓性材料２１で作られ、プッシュボタンの残りは、導電材料２２で作られる。プッシュボタン全体は、プッシュボタン２の中心において又はマルチ接触器プッシュボタンの場合にはプッシュボタン２の２点、４点などの上において導電材料２２などで作られるワイヤ、ストリップ、ロッドを別として、非導電性可撓性材料２１で形成されることになる。
【００５２】
特に、プッシュボタン２は、プッシュボタンの下面の下に置かれる少なくとも１つのスペーサ２１０を含む。スペーサ２１０は、常に接触器２２から離れている。
【００５３】
スペーサ２１０は、少なくともプッシュボタン２が静止状態にある場合、特に接触器２２をタッチセンシティブ面１０から離して維持することにより、接触器２２をタッチセンシティブ面１０から絶縁することができる。したがって、静止状態のプッシュボタン２は、タッチセンシティブ面１０を介して端末１、３との相互作用をトリガしない。
【００５４】
プッシュボタン２は、プッシュボタン２の外周（すなわちプッシュボタン２を囲む）に単一のスペーサ又はプッシュボタン２のこの外周の複数の位置に置かれた複数のスペーサのいずれかを含む。
【００５５】
タッチセンシティブ面は、特に抵抗性又は容量性である。例えば、今日、車両搭載タッチスクリーン又はいくつかの専門分野において使用されるタッチスクリーンは、通常、抵抗性スクリーンである一方、より広い大衆によって使用されるものは、多くの場合に容量性スクリーンである。
【００５６】
容量性タッチセンシティブ面の場合、プッシュボタン２は、プッシュボタン２によるタッチセンシティブ面を介した端末との相互作用を可能にするように導電材料で作られる接触器２２を含むことになる。他方では、抵抗性タッチセンシティブ面の場合、プッシュボタン２の接触器２２の組成は、プッシュボタン２によるタッチセンシティブ面を介した端末との相互作用の確立に影響を及ぼさない。
【００５７】
図２ａは、静止状態にある場合のプッシュボタン２を示す。
【００５８】
図２ａの例では、プッシュボタン２は、静止状態である。プッシュボタン２は、接触器を形成する導電材料２２で作られる中心シリンダーを除いて、その上面２Ｓからその下面２Ｉまで可撓性材料２１で形成される。接触器２２が露出される下面２Ｉは、端末１、３と相互作用するためのタッチセンシティブ面１０から離れている。
【００５９】
特に、プッシュボタン２は、プッシュボタンの下面２Ｉの下のプッシュボタン２の周囲に置かれたスペーサ２１０を含む。スペーサは、特に可撓性材料で作られる。
【００６０】
図２ｂは、特にユーザの指からの加圧下にあるときのプッシュボタンを示す。
【００６１】
図２ａによって示されるプッシュボタン２は、端末１、３と相互作用することを望むユーザＵによって加圧下に置かれる。
【００６２】
図２ｂの例では、プッシュボタン２は、接触器２２がタッチセンシティブ面１０に接触するように加圧下で変形する。この変形は、特にプッシュボタン２の以下の１つ又は複数のパラメータのために可能である：
−  プッシュボタン２のその上面２Ｓからその下面２Ｉまでの可撓性材料２１の柔軟性の程度、
−  面２Ｓの寸法、
−  （特にプッシュボタン２の残りにおいて使用されるものなどの可撓性材料で作られる）スペーサ２１０の組成、
−  スペーサの寸法、
−  接触器２２の柔軟性の程度、
−  接触器２２の寸法。
【００６３】
図２ａの例では、変形は、プッシュボタン２の主要部（スペーサ２１０内を含む）の組成に使用される可撓性材料２１と、スペーサ２１０間の下面２Ｉの大きい寸法とに関係する。
【００６４】
次に、接触器２２は、ユーザＵの指と接触ＣＤし、タッチセンシティブ面１０は、指からの相互作用をタッチセンシティブ面に伝達する。接触器２２が導電材料で作られている場合、図２ｂに示すように、ユーザＵの指からの相互作用の伝達は、指からの導電率を、端末１、３との相互作用をトリガするタッチセンシティブ面に伝達することを含む。
【００６５】
実施形態にかかわらず、接触器２２は、プッシュボタンの上面全体又はプッシュボタンの下面全体を占有しない。次に、プッシュボタン２は、２つの別個の部分（その一方は、接触器２２を構成する）を含む。換言すれば、プッシュボタンは、第１の容積２１と第２の容積２２とを含み、第１の容積と第２の容積とは、別個であり、第２の容積が接触器２２を構成する。
【００６６】
加えて、接触器２２は、特に立体プロファイルなど又はプッシュボタン内の特定の３次元ゾーンを有する円柱ロッドによって形成される。この接触器は、特に抵抗性又は導電性タッチセンシティブ面と接触すると、導電性又は抵抗性材料などの指の接触に起因するものに均等な相互作用を可能にする材料によって特に形成される。導電性又は抵抗性材料の例としては、金属、導電性プラスチック、導電率／抵抗率ドープ材料、特定のナノ構造体、例えば接触器２２内に取り込まれる金属、導電性及び／又は抵抗性材料が挙げられる。
【００６７】
図３は、本発明の第２の実施形態におけるプッシュボタンの断面で見た簡略図を示す。
【００６８】
この第２の実施形態では、上面２Ｓと下面２Ｉとの間のプッシュボタンの所定の貫通ゾーン（不図示）（プッシュボタン２全体を形成しない）が接触器２２を形成する。プッシュボタン内の接触器２２の位置、特にプッシュボタンの下面に依存して、プッシュボタン２は、場合により、少なくとも１つのスペーサ２１０によって静止状態のタッチセンシティブ面を分離するためのスペーサ２１０を含む。
【００６９】
スペーサ２１０は、場合により、プッシュボタン１０が加圧下にある場合（すなわちユーザＵが特に自らの指の少なくとも１つでプッシュボタン２を押す場合）に接触器２２がタッチセンシティブ面１０と接触することを可能にする可撓性材料で作られる。
【００７０】
特に、接触器２２は、可撓性導電材料で作られており、プッシュボタン２が加圧下にあるときにタッチセンシティブ面１０と接触されるようにユーザの指の加圧下で接触器２２が変形することを可能にする。
【００７１】
図４は、本発明によるマルチ接触器プッシュボタンの簡略化３次元図を示す。
【００７２】
特に、プッシュボタン２は、複数の接触器２０を含む。各接触器２０は、プッシュボタン２の上面２Ｓ及び下面２Ｉ上に別個の位置を有し、タッチセンシティブ面の別個の部分との相互作用を可能にする。
【００７３】
図４は、例えば、タッチセンシティブ面１０に接続される端末との指向性（上、下、右、左方向）相互作用のための４つの接触器２０を含むプッシュボタン２を示す。
【００７４】
プッシュボタン２は、上面２Ｓから下面２Ｉまで第１の材料２１で形成される。この第１の材料は、４つの接触器２０を形成する材料と異なる。
【００７５】
プッシュボタンの組成及び寸法は、接触器２２の１つに圧力がかかることによるプッシュボタン２の変形が、プッシュボタン２に圧力がかけられた１つのみの接触器２２を、プッシュボタン２の下に存在するタッチセンシティブ面１０と接触させるようにするようなものである。
【００７６】
特に、プッシュボタンは、プッシュボタンが静止状態である場合に接触器をタッチセンシティブ面から絶縁する少なくとも１つのスペーサを含む。特に、スペーサを形成する位置及び／又は材料（場合により第１の材料）は、少なくとも１つのスペーサ２１０の１つ又は複数のスペーサ２１０の変形及び／又はプッシュボタン２の第１の材料の変形が４つの接触器２２の１つのみをタッチセンシティブ面１０と接触することを可能にするようなものである。
【００７７】
マルチ接触器プッシュボタンの利点は、単一のボタンを配置することにより、複数の別個の相互作用、例えば処理ウィンドウスクロールバーとの相互作用（編集する、読む、閲覧するなど）、ゲームの多方向性相互作用などを可能にすることである。
【００７８】
図５ａ及び図５ｂは、本発明によるプッシュボタンの留め具の別個の簡略図を示す。
【００７９】
特に、プッシュボタン２は、プッシュボタン２をタッチセンシティブ面１０に対する位置に留めるための留め具２１１を含む。
【００８０】
図５ａは、吸引により、タッチセンシティブ面１０に対する位置に保持されたプッシュボタン２を示す。プッシュボタン２は、プッシュボタン２とタッチセンシティブ面１０との間に吸引効果を生成するために、それ自体で機能するか又はプッシュボタン２の他の留め具２１１ａと組み合わせて機能する少なくとも１つの留め具２１１ａを含み、ユーザＵがプッシュボタンのこの位置を修正しない限り、使用されると、タッチセンシティブ面の位置（水平、垂直、４５°、３０°など）にかかわらず、タッチセンシティブ面１０に対して第１の位置に置かれたプッシュボタンがこの第１の位置を維持することを可能にする。
【００８１】
このような留め具の利点は、タッチセンシティブ面の残り部分の可視性に他の制約を課すことなく、留め具がプッシュボタンをタッチセンシティブ面に対する任意の位置に（その中央にさえ）置くことを可能にすることである。
【００８２】
図５ｂは、タッチセンシティブ面の保護装置との相互作用を介してタッチセンシティブ面に対する位置に保持されたプッシュボタンを示す。
【００８３】
図５ａは、タッチセンシティブ面の保護装置４などの第三者装置との相互作用を介してタッチセンシティブ面１０に対する位置に保持されたプッシュボタン２を示す。プッシュボタン２は、プッシュボタン２がタッチセンシティブ面１０の保護装置４と相互作用することを可能にするために、それ自体で機能するか又はプッシュボタン２の他のアンカー２１１ｂと組み合わせて機能する特にノッチなどの少なくとも１つのアンカー２１１ｂを含み、ユーザＵがプッシュボタンのこの位置を修正しない限り、使用されると、タッチセンシティブ面の位置（水平、垂直、４５°、３０°など）にかかわらず、タッチセンシティブ面１０に対して第１の位置に置かれたプッシュボタンがこの第１の位置を維持することを可能にする。
【００８４】
プッシュボタン２をタッチセンシティブ面１０の直接上ではなくタッチセンシティブ面の保護装置４の上に固定することを可能にするこのようなアンカーは、タッチセンシティブ面への損傷（スクラッチ、導電性下層からのスクリーンのガラスの切断等）のリスクを制限する。
【００８５】
図６ａ及び６ｂは、本発明による物理的インターフェースの簡略図を示す。
【００８６】
タッチセンシティブ面の物理的インターフェース２０は、タッチセンシティブ面の少なくとも１つの物理的プッシュボタン２を含む。プッシュボタン２は、プッシュボタン２がタッチセンシティブ面１０上に位置するときにタッチセンシティブ面１０による端末１、３との相互作用を可能にすることができる。
【００８７】
特に、物理的インターフェース２０は、端末１、３に対する物理的インターフェースの識別子ＩＰ＿ｉｄのプロバイダ２０１を含み、物理的インターフェースの識別子ＩＰ＿ｉｄは、端末１、３が端末１、３との仮想インターフェースを修正することを可能にする。修正は、物理的インターフェースの識別子ＩＰ＿ｉｄに依存する。
【００８８】
特に、識別子プロバイダ２０１は、以下の装置の少なくとも１つからなる：
・物理的インターフェースに付けられたシンボル、特にバーコード、ＱＲコード、シリアル番号など、
・物理的インターフェースの識別子を符号化する位置において物理的インターフェース内に又はその上に置かれた物体（物理的インターフェース上の物体（例えば、物体は、その位置が端末の磁力計によって検出されることができる磁石である）の位置は、端末によって検出されることができる）、
・物理的インターフェースの識別子を含むメモリを有する送信回路（送信回路は、接触ベース送信回路又はＲＦＩＤ若しくはＮＦＣチップなどの非接触送信回路である）。
【００８９】
特に、識別子プロバイダ２０１は、コントローラ（不図示）を含む。識別子プロバイダ２０１は、コントローラによって生成される仮想インターフェース適応化命令ａｄｐｔ＿ｃｍｄを送信する。適応化命令ａｄｐｔ＿ｃｍｄは、適応化命令ａｄｐｔ＿ｃｍｄに含まれる物理的インターフェースの識別子ＩＰ＿ｉｄに依存して仮想インターフェースの修正をトリガする。
【００９０】
特に、識別子プロバイダ２０１は、タッチスクリーン上の対応仮想インターフェースを活性化することを可能にするプッシュボタン２の下に形成され且つ／又は置かれる。例えば、プッシュボタンの形式、及び／又はタッチスクリーン上のその位置、及び／又はタッチスクリーンによって検出されるプッシュボタンの下に置かれる追加の識別子プロバイダ（ＲＦＩＤ又はＮＦＣチップ、ＱＲコードなど）は、物理的インターフェースを識別するとともに、仮想インターフェースをそれに応じて修正することを可能にする。
【００９１】
タッチセンシティブ面の複数のプッシュボタンを含む物理的インターフェースの利点は、タッチセンシティブ面と比較したその搬送及び操作の容易さであり、ボタンの紛失、タッチセンシティブ面に対する位置決め誤差、（多数のプッシュボタンの）実施の遅さなどを回避する。
【００９２】
図６ａは、本発明による物理的インターフェースの例の全体図を示す。
【００９３】
物理的インターフェース２０は、特に支持体２００上に設けられる。物理的インターフェース２０は、ユーザＵが物理的インターフェース２０（タッチセンシティブ面１０を介して相互作用を端末１、３に伝達する）の少なくとも１つのプッシュボタン２への圧力を介してタッチセンシティブ面に接続される端末１、３と相互作用することを可能にするようにタッチセンシティブ面１０上に置かれることができる。
【００９４】
図６ａの例では、物理的インターフェース２のプッシュボタン２０は、英数字キーパッドを形成する。
【００９５】
図６ｂは、本発明による物理的インターフェースの例示的実施形態の一部分の断面図を示す。
【００９６】
物理的インターフェース２０は、複数のプッシュボタン２１、２２などで形成される。プッシュボタン２１、２２などは、接触器２２１、２２２などを含み、可撓性材料２１１、２１２などで形成され、ユーザＵがプッシュボタンを加圧下に置くとプッシュボタンが変形することを可能にする。変形は、プッシュボタン２１の接触器２２１を加圧下にし、物理的インターフェース２０が位置するタッチセンシティブ面１０と接触ＣＳさせる。
【００９７】
こうして、ユーザＵとプッシュボタン２１との接触ＣＤは、あたかもプッシュボタン２１の接触器２２１が接触ＣＳしたタッチセンシティブ面１０のその部分上にユーザが自らの指を直接置いたかのようにタッチセンシティブ面１０に伝えられる。
【００９８】
特に、物理的インターフェース２０は、少なくとも１つのスペーサ２１０１、２１０１，２、２１０２などを含み、静止状態のプッシュボタン２１、２２などの接触器２２１、２２２などをタッチセンシティブ面１０から絶縁することを可能にする。
【００９９】
特に、物理的インターフェース２０は、この場合、端末の仮想インターフェースを適合化する命令ａｄｐｔ＿ｃｍｄ（物理的インターフェースの識別子ＩＰ＿ｉｄを含む）を端末１、３に送信することができるコントローラを備えた識別子プロバイダ２０１を含む。
【０１００】
図７ａ、７ｂ及び７ｃは、本発明による保護装置の簡略図を示す。
【０１０１】
タッチセンシティブ面１０の保護装置２００（前カバー、ケース（フリップケース）又はスリーブなど）は、端末１、３との相互作用を可能にすることができるタッチセンシティブ面１０の少なくとも一部分を覆う。保護装置２００の前部は、タッチセンシティブ面の少なくとも１つのプッシュボタン２又はタッチセンシティブ面の少なくとも１つのプッシュボタン２を含む、タッチセンシティブ面の物理的インターフェース２０を含む。プッシュボタン２は、プッシュボタン２がタッチセンシティブ面１０上に位置するときにタッチセンシティブ面１０による端末１、３との相互作用を可能にすることができる。
【０１０２】
図７ａは、キーパッドタイプの物理的インターフェースを組み込む保護装置の全体図を示す。
【０１０３】
保護装置２００の前部は、スマートフォン又はタッチスクリーンタブレット１のタッチスクリーン１０の前に置かれる。ウィンドウ２０１が場合により保護装置２００の前部から切り出され、端末１と相互作用するためにユーザＵがタッチスクリーン１０のゾーンＦ１０に直接アクセスすることを可能にする。
【０１０４】
ユーザＵがタッチスクリーン１０によって端末１と相互作用することができる物理的インターフェース２０（この場合、英数字キーパッド）を形成する複数のプッシュボタン２は、保護装置２００の前部の別のゾーン内に置かれる。
【０１０５】
実装されるプッシュボタンは、上述のようなものである。
【０１０６】
保護装置２００は、場合により、物理的インターフェース２０を識別するためのＱＲコードを含む。ＱＲコードは、タッチスクリーンによって表示される仮想インターフェースが、タッチスクリーン上に置かれる物理的インターフェース２０に対応するように、タッチスクリーン１０によって表示される仮想インターフェースを適合化するように端末１によって読まれることができる。特に、ＱＲコードは、ユーザによる物理的英数字キーパッド２０のキー（例えば、「スペースバー」キー）の加圧が、プッシュボタンがタッチスクリーン１０のそのゾーンと接触することをもたらすように、物理的英数字キーパッド２０が置かれる仮想英数字キーパッドを表示するように端末１によって読まれることができる。そのゾーンでは、仮想英数字キーパッドの同じ相互作用に対応するキー（本発明者らの例では「スペースバー」キー）が表示され、端末１により、この相互作用（この場合、「スペース」の入力）をトリガすることを可能にする。
【０１０７】
図７ｂは、物理的ゲームパッドインターフェースを組み込む保護装置の全体図を示す。
【０１０８】
保護装置２００の前部は、スマートフォン又はタッチスクリーンタブレット１のタッチスクリーン１０の前に置かれる。ウィンドウ２０１が場合により保護装置２００の前部から切り出され、端末１と相互作用するためにユーザＵがタッチスクリーン１０のゾーンＦ１０に直接アクセスすることを可能にする。
【０１０９】
ユーザＵがタッチスクリーン１０によって端末１と相互作用することができる物理的インターフェース２０（この場合、ゲームパッド）を形成する複数のプッシュボタン２（この場合、少なくとも１つのマルチ接触器ボタン２Ｍを含む）は、保護装置２００の前部の別のゾーン内に置かれる。
【０１１０】
実装されるプッシュボタンは、上述のようなものである。
【０１１１】
保護装置２００は、場合により、端末１のタッチスクリーン１０によって表示される仮想インターフェースの適合化を命令するためのＲＦＩＤチップを含む。ＲＦＩＤチップは、特に物理的インターフェース２０の識別子を含む適応化命令を端末に送信する。次に、端末１は、タッチスクリーン１０によって表示される仮想インターフェースが、タッチスクリーン上に置かれた物理的インターフェース２０に対応するように、特にユーザによる物理的ゲームパッド２０のボタン上の又はボタンのゾーン上（例えば、多方向性ボタン２Ｍの上部）の加圧が、プッシュボタン又はプッシュボタンのゾーンがタッチスクリーン１０のそのゾーンと接触することをもたらすように物理的ゲームパッド２０が置かれる仮想ゲームパッドを表示するように、タッチスクリーン１０によって表示される仮想インターフェースの適合化を実施する。タッチスクリーン１０のそのゾーンでは、仮想ゲームパッドの同じ相互作用に対応するボタン（本発明者らの例では多方向性キーの上部）が表示され、端末１により、この相互作用（この場合、上方向運動）をトリガすることを可能にする。
【０１１２】
図７ｃは、本発明による保護装置の一実施形態の断面図を示す。
【０１１３】
保護装置２００は、端末１、３との相互作用のためのタッチセンシティブ面１０上に置かれた少なくとも１つの前部を含む。保護装置２００が前部のみを含む場合、これは、特に、例えば静電気を介してタッチスクリーンの保護装置として設置される膜である。
【０１１４】
保護装置２００は、特に保護装置がケースである場合、後部も含み得る。したがって、前部上に実装される物理的インターフェース２０は、タッチセンシティブ面上に容易に設置され、それから除去されることができる。
【０１１５】
保護装置２００がスリーブである場合、保護装置２００の前部上に実装される物理的インターフェース２０のより良好な保持が保証される。
【０１１６】
ウィンドウ２０１は、場合により、保護装置２００の前部から切り出され、タッチセンシティブ面にアクセスすることを可能にする。このウィンドウ２０１は、タッチセンシティブ面への直接的なアクセスを可能にする材料を除去したもの又はタッチセンシティブ面１０との直接的なタッチベース接触を可能にする材料の膜のいずれかである。タッチセンシティブ面１０がスクリーンである場合、この膜は、透明となり、ユーザがタッチスクリーン１０の表示を見ることを可能にする。
【０１１７】
本発明は、タッチセンシティブ面１０上にこのようにして置かれたタッチセンシティブ面の少なくとも１つのプッシュボタン２を含む物理的インターフェース２０を保護装置２００の前部が含むための措置を講じる。プッシュボタン２は、ユーザＵがタッチセンシティブ面１０（特に接触器２２）によって端末１、３と相互作用することを可能にする。特に、プッシュボタン２又はさらに物理的インターフェース２０は、その変形が接触器２２を加圧下でタッチセンシティブ面１０と接触させる可撓性材料で形成される。
【０１１８】
したがって、本発明による保護装置は、タッチセンシティブ面又はさらにタッチスクリーンを有する端末を部分的に又は十分に保護することを可能にすると同時に、端末との相互作用を容易にする。
【０１１９】
特に、モバイル電話又はスマートフォンのシェルは、この端末との物理的インターフェース（特にその前部内における）となる。この物理的インターフェースは、最終使用に依存して、命令ボタン、入力ボタン、カーソル又はキーパッドに対応するプッシュボタンの組を含み得る。
【０１２０】
特に、ボタンの加圧中にタッチセンシティブ面と接触するように意図された物理的インターフェースの少なくともその部分は、導電材料で作られることになる。
【０１２１】
物理的インターフェース２０は、英数字キーパッド、数字パッド、ゲームパッド又はアプリケーションに固有のコンソール（すなわちこのアプリケーション（ツイート、ＳＭＳ、Ｔチャット等のアプリケーション）を実施する端末と相互作用するのに必須なプッシュボタンを含む）の多形式のものであり得る。
【０１２２】
タッチセンシティブ面１０又はさらにタッチスクリーン１０を備えた端末１を依然として保護する一方、物理的インターフェース２０は、スマートフォン又はタブレットの直観的使用を改善する。例えば、ゲーマ、特に子供に関し、シェル２００は、保護（衝撃及び水に対する抵抗）を増強することを可能にすると同時に、市販のゲームコンソールに対応するため、物理的インターフェース２０の初期単純性を維持する。
【０１２３】
本発明の別の恩恵は、特に感覚鈍麻によって制限された又は影響を与えられた指移動度を有する人々に関し、タッチスクリーンと比較して物理的インターフェースを保持する容易さに関係する。
【０１２４】
図８ａ、８ｂ、８ｃ及び８ｄは、本発明による保護装置の様々な例示的実施形態の簡略図を示す。
【０１２５】
図８ａは、位置Ｂにおけるケース２００によって示されるように、落下した場合の衝撃に対して端末を保護するために端末１の後ろに通常置かれる保護ケースの形式の保護装置を示す。この同じケース２００は、位置Ａにおけるケースによって示されるように、端末１のタッチスクリーン１０の前に置かれるためにユーザによって移動ｍｖされ得る。
【０１２６】
次に、保護装置２００は、タッチスクリーン１０上に表示されるデータをユーザが読む、視ることを可能にする開口２０１であって、同時に、端末１と相互作用するために、特に物理的インターフェースがゲームパッドを形成する本発明者らの例では、特にマルチ接触器プッシュボタン２Ｍによってゲーム内の文字を移動させて、ゲームにおける行為（１つ又は複数のプッシュボタン２によって物体をつまみ上げる、打つ、使用する等の行為）を行うために、タッチスクリーン１０又は物理的インターフェース２０のいずれかのアクセス可能部分を使用することを可能にする開口２０１を含む。
【０１２７】
本発明者らの例では、プッシュボタン２の中心に且つマルチ接触器ボタン２Ｍの別個の４点に置かれた接触器２２は、位置Ｂにおいてケース上に見られることができる。プッシュボタン２、２Ｍの他の実施形態は、本発明による保護ケース２００の物理的インターフェースに使用され得る。
【０１２８】
図８ｂは、タッチスクリーン１０を有する端末１の保護装置２００を形成する、フリップケースとも呼ばれるケースを示す。図８ｂは、ケース２００の２つの別々の位置、すなわち開位置Ｏと閉位置Ｆとを示す。その閉位置では、ケース２００は、タッチスクリーン１０を含む端末１の前面を保護する。その開位置では、ケース２００は、データをタッチスクリーン全体に表示し、且つ／又はタッチスクリーン全体上で直接端末と相互作用するためにユーザがタッチスクリーン全体にアクセスすることを可能にする。
【０１２９】
ケース２００は、前カバー２００Ａと後カバー２００Ｂとからなる。
【０１３０】
後カバー２００Ｂは、固定される。それは、端末１を収容し、端末１を前カバー上に保持し、特に衝撃、落下等の場合にその後部内の端末１の連続的保護を可能にする。
【０１３１】
前カバー２００Ａは、本発明による物理的インターフェース２０及び／又は本発明によるタッチセンシティブ面の少なくとも１つのプッシュボタン２、２Ｍを含む。この前カバー２００Ａは、ケース２００を形成するように後カバー２００Ｂにリンクされ、タッチスクリーン１０の前に位置しない場合に前カバーを失うか又は忘れることを不可能にする。前カバー２００Ａと後カバー２００Ｂとの間のリンク２００Ｌは、２つのカバー２００Ａ、２００Ｂの幅又は共通の長さ全体にわたって置かれ得る。図８ｂの例では、リンク２００Ｌは、２つのカバーの左側の長さ全体にわたって形成される。
【０１３２】
このリンク２００Ｌは、１つの位置から別の位置（この場合、開位置Ｏ及び閉位置Ｆ）に切り替わることを容易にする。図８ｂは、ケース２００のクロージャｃｌを示し、次に、ケース２００は、開位置Ｏから閉位置Ｆに切り替わる。リンク２００Ｌは、リンクとしての役割を果たす長さ若しくは幅の少なくとも一部又はさらにその全体にわたって存在する可撓性材料で作られ得、例えばケースがこの材料で覆われる場合、革、ボール紙、高分子などで作られるが、蝶番などを使用して作られ得る。
【０１３３】
ケース２００の前カバー２００Ａは、タッチスクリーン１０のウィンドウＦ１０が示されることを可能にする開口２０１を含む。これは、タッチスクリーン１０上に表示されるデータをユーザが読む、視ることを可能にし、同時に、端末１と相互作用するためにタッチスクリーン１０又は物理的インターフェース２０のいずれかのアクセス可能部分を使用すること、特に物理的インターフェースがゲームパッドを形成する本発明者らの例では、特にマルチ接触器プッシュボタン２Ｍによってゲーム内の文字を移動させて、ゲームにおける行為（１つ又は複数のプッシュボタン２によって物体をつまみ上げる、打つ、使用する等の行為）を行うことを可能にする。
【０１３４】
本発明者らの例では、プッシュボタン２の中心に且つマルチ接触器ボタン２Ｍの別個の４点に置かれた接触器２２は、位置Ｏにおいて前カバー２００上で見られることができる。プッシュボタン２、２Ｍの他の実施形態は、本発明による保護ケース２００の物理的インターフェースに使用され得る。
【０１３５】
クロージャ２０２は、場合により、ケース２００を閉位置Ｆに維持することを可能にする。このクロージャ２０２は、例えば、ケースを端末１の導電部上に維持することになる少なくとも１つの磁石である。
【０１３６】
示されない１つの例示的実施形態は、２つの面を含むソックに対応する保護スリーブであり、その１つである前面は、本発明による物理的インターフェース又は少なくとも１つのプッシュボタンを有する。このような保護スリーブにより、物理的インターフェースをタッチセンシティブ面上に維持する問題は、もはや発生しない。これは、タッチセンシティブ面１０（又は端末１がタッチスクリーン１０を含む場合には端末１ですら）が保護スリーブ２００内に直接摺動されるためである。保護スリーブ２００は、その設計のため、タッチセンシティブ面が、その前面がタッチセンシティブ面１０上に位置するようにスリーブ内に摺動されると、物理的インターフェースをタッチセンシティブ面１０上に維持する。ユーザが、タッチセンシティブ面によってもはや相互作用しないことを選択すると、スリーブ内のタッチセンシティブ面の位置は、前面がタッチセンシティブ面又は端末の後ろに置かれるように修正され得る。
【０１３７】
図８ｃは、二重ケース、すなわち端末１が収容される後ケース２００Ｂであって、衝撃、落下等の場合に端末１を保護する後ケース２００Ｂと、本発明によるタッチセンシティブ面の少なくとも１つのプッシュボタン２、２Ｍ又は物理的インターフェース２０を含む前ケース２００Ａとで形成された保護装置２００を示す。
【０１３８】
前ケース２００Ａは、端末１のタッチスクリーン１０の前に置かれ得、２つのケース２００Ａ、２００Ｂのアセンブリによって形成される保護装置２００内の端末１を取り囲むように後ケース２００Ｂと相互作用する。この相互作用は、前ケース２００Ａをタッチスクリーン１０上に維持することを可能にする。
【０１３９】
端末１のスクリーン１０の表示へのアクセスを可能にするために、前ケース２００Ａが開口２０１を含む（前の実施形態に示すように）か、又は前ケース２００Ａが、図８ｃに示すように透明又は半透明材料で形成されるかのいずれかである。こうして、保護装置２００は、端末１を完全に覆い、２つのケース間の相互作用の手段に依存して、落下又は衝撃に対し、特にゴミ、砂に関係する損傷に対して且つ液体などに対して、端末だけでなくスクリーンも保護することを可能にする。例えば、２つのケース２００Ａ、２００Ｂ間のリンク（不図示）は、密閉性を可能にするシールを含む。リンクは、２つのケース２００Ａ、２００Ｂを互いに積層することによっても形成され得る（２つのケースの積層部分の寸法及び／又は材料は、保護装置２００を開くことが、所与の行為、すなわち２つのケース２００Ａ、２００Ｂの少なくとも１つに対する加圧又は所定のジェスチャを必要とするようにされる）。
【０１４０】
図８ｄは、２つの部分、すなわち端末１が収容される後部２００Ｂであって、衝撃、落下等の場合に端末１を保護する後部２００Ｂと、本発明によるタッチセンシティブ面の少なくとも１つのプッシュボタン２、２Ｍ又は物理的インターフェース２０を含む前部２００Ａとで形成された周囲部２００を示し、２つの部分２００Ａ、２００Ｂは、互いに連接される。
【０１４１】
図８ｄは、周囲部２００の２つの別々の位置、すなわち開位置Ｏと閉位置Ｆとを示す。その閉位置では、周囲部２００は、タッチスクリーン１０を含むその前面を含む端末１全体を保護する。その開位置では、周囲部２００は、データをタッチスクリーン全体に表示し、且つ／又はタッチスクリーン全体上で直接端末と相互作用するためにユーザがタッチスクリーン全体にアクセスすることを可能にする。
【０１４２】
前部２００Ａは、端末１のタッチスクリーン１０の前に置かれ得、端末１を２つのケース２００Ａ、２００Ｂのアセンブリによって形成される保護装置２００内に囲むように後部２００Ｂと相互作用する。この相互作用は、前部２００Ａをタッチスクリーン１０上に維持することを可能にする。前部２００Ａがスクリーンの前に保持されることを保証するために、周囲部２００は、クロージャ２０２を含む。図８ｄの例では、クロージャ２０２は、連接される。したがって、ユーザは、周囲部２００を閉位置Ｆに維持することを望むか否かに依存してクロージャ２０２の位置を修正する。周囲部２００が閉位置Ｆである場合にクロージャ２０２をロック（ｌｃｋ）することで、この位置での保持を保証することを可能にし、したがってタッチセンシティブ面１０上のインターフェース２０の保持が保証される。
【０１４３】
端末１のスクリーン１０の表示へのアクセスを可能にするために、前部２００Ａが開口２０１を含む（前の実施形態に示すように）か、又は前ケース２００Ａが、図８ｃに示すように透明又は半透明材料で形成されるかのいずれかである。こうして、周囲部２００は、端末１を完全に覆い、２つの部分間の相互作用の手段に依存して、ゴミ、砂に対して端末１、特にタッチスクリーン１０を保護すること、又はさらに密閉性（液体に対する保護）などを提供することを可能にする。例えば、２つの部分２００Ａ、２００Ｂ間のリンクは、密閉性を可能にするシールを含む。リンク２００Ｌは、２つの部分２００Ａ、２００Ｂを互いに積層することによっても形成され得る（２つの部分の積層部分の寸法及び／又は材料は、保護装置２００を開くことが所与の行為、すなわち２つのケース２００Ａ、２００Ｂの少なくとも１つに対する加圧又は所定のジェスチャを必要とするようにされる）。次に、クロージャ２０２は、端末１及びタッチスクリーン１０が衝撃、落下などに対してだけでなく、例えば粒子（ゴミ、砂）、液体などに関係する損傷に対しても保護されることを保証することも可能にする。周囲部２００は、密閉されている。
【０１４４】
図９は、本発明による仮想インターフェース方法の簡略図を示す。
【０１４５】
端末の仮想インターフェース方法ＰＩＶは、プッシュボタンがタッチセンシティブ面上に位置するとき、タッチセンシティブ面により、タッチセンシティブ面１０のプッシュボタン２による端末との相互作用Ｉ＿ＣＰＴを捕捉する工程を含む。
【０１４６】
特に、仮想インターフェース方法ＰＩＶは、タッチセンシティブ面の物理的インターフェースの識別子ＩＰ＿ｉｄに依存して仮想インターフェースＩＶ＿ＭＤＦを修正する工程を含み、物理的インターフェースは、タッチセンシティブ面の少なくとも１つのプッシュボタンと、端末に対する物理的インターフェースの識別子のプロバイダとを含む。
【０１４７】
仮想インターフェース方法の１つの特定の実施形態は、プログラムであって、プロセッサによって実行されると、仮想インターフェース方法の工程を実行するためのプログラムコード命令を含むプログラムである。
【０１４８】
したがって、スマートフォンのソフトウェアアプリケーションは、場合により、特にスマートフォンを保護するシェル上に実装されると、本発明による物理的インターフェースに適応化し得、タッチスクリーンを介してシェルの物理的インターフェースと端末との間のやりとりを可能にすることになる。
【０１４９】
今日、待機モードの端末１は、タッチセンシティブ面を介して限定数の相互作用を許容し得る。この待機モードは、ライト待機モードと呼ばれる。現在、ライト待機モードは、新しい受信されたメッセージに関する通知を提供することと、この新しい受信されたメッセージを開くことと（場合によりメッセージがショートメッセージ：ＳＭＳ、ＭＭＳ、ツイートなどである、又はｅメールなどの長いメッセージの開始であることを条件として）、呼び出しなどを受け付けることとを可能にするが、端末１の機能のすべてにアクセスすることを可能にしない。
【０１５０】
１つの特定の実施形態では、ライト待機モードの仮想インターフェースは、本発明による物理的インターフェースがタッチセンシティブ面上に位置するとき、特に物理的インターフェースが英数字キーパッドであるとき、新しい受信されたメッセージを読むことだけでなく、それに応答することも可能にする（応答は、場合により、ショートメッセージ：ＳＭＳ、ＭＭＳ、ツイート又はショートメッセージのサイズ：最大文字数を有するｅメールなどに限定されることになる）。この制限は、スクロールバーを使用することなくメッセージを表示するためのウィンドウＦ１０に特に関係する。
【０１５１】
図１０は、本発明による端末の図を示す。
【０１５２】
端末１は、プッシュボタン２がタッチセンシティブ面１０上に位置するとき、タッチセンシティブ面１０により、タッチセンシティブ面のプッシュボタン２による端末１との相互作用を捕捉することができる仮想インターフェース１１を含む。
【０１５３】
図１０は、タッチセンシティブ面の少なくとも１つのプッシュボタン２を含む物理的インターフェース２０と、タッチスクリーン１０上に仮想インターフェース１１の可視部分を表示する端末１とを示す。物理的インターフェース２０がタッチスクリーン１０上に置かれる場合、物理的プッシュボタン２は、タッチスクリーン１０上に仮想インターフェース１１によって表示されるキーに対応することになる。したがって、ユーザが物理的プッシュボタン２を押すと、仮想インターフェースによって表示されるキー上のタッチスクリーン１０とのプッシュボタン２によって確立される接触は、ユーザがこの仮想キーと直接接触する必要なしに、表示されたキーに関連付けられた相互作用に対応する端末１との相互作用をトリガする。
【０１５４】
ユーザがタッチスクリーン上の仮想インターフェースの表示に依存して自らの物理的インターフェースを選択するか又は１つ若しくは複数の物理的プッシュボタンを配置する必要がないように、物理的インターフェース２０は、端末１にその識別子ＩＰ＿ｉｄを与え、これにより、タッチセンシティブ面１０上に置かれる物理的インターフェースに仮想インターフェースを適合させることを可能にする。
【０１５５】
この適応化は、適応化が１つのみ又は限定数のプッシュボタン及び／又は単一のマルチ接触器ボタンを必要とする場合に煩わしいことが分かり得る。
【０１５６】
本発明は、媒体も対象とする。情報媒体は、プログラムを格納することができる任意のエンティティ又は装置であり得る。例えば、媒体は、ＲＯＭ（例えば、ＣＤ−ＲＯＭ又は超小形電子回路ＲＯＭ）、そうでなければ磁気記録手段（例えば、フロッピーディスク、ハードディスク）などの格納手段を含み得る。
【０１５７】
さらに、情報媒体は、電気又は光ケーブルを介して若しくは無線によって又は他の手段によってルーティングされ得る電気又は光信号などの送信可能媒体であり得る。本発明によるプログラムは、特にネットワーク（特にインターネット）からダウンロードされ得る。
【０１５８】
代替として、情報媒体は、プログラムが組み込まれる集積回路であり得、集積回路は、対象の方法を実行するように又は対象の方法の実行において使用されるように設計される。
【０１５９】
別の実施形態では、本発明は、ソフトウェア及び／又はハードウェア部品によって実現される。これを念頭に置いて、用語「モジュール」は、ソフトウェア部品又はハードウェア部品に等しく対応し得る。ソフトウェア部品は、１つ若しくは複数のコンピュータプログラム、プログラムの１つ若しくは複数のサブルーチン又はより一般的には上記説明による機能若しくは機能の組を実施することができるプログラム又はソフトウェアの任意の要素に対応する。ハードウェア部品は、機能又は機能の組を実施することができるハードウェアアセンブリの任意の要素に対応する。
【図１ａ】
2020514906.tif 000003
【図１ｂ】
2020514906.tif 000004
【図２ａ】
2020514906.tif 000005
【図２ｂ】
2020514906.tif 000006
【図３】
2020514906.tif 000007
【図４】
2020514906.tif 000008
【図５ａ】
2020514906.tif 000009
【図５ｂ】
2020514906.tif 000010
【図６ａ−ｂ】
2020514906.tif 000011
【図７ａ】
2020514906.tif 000012
【図７ｂ】
2020514906.tif 000013
【図７ｃ】
2020514906.tif 000014
【図８ａ】
2020514906.tif 000015
【図８ｂ】
2020514906.tif 000016
【図８ｃ】
2020514906.tif 000017
【図８ｄ】
2020514906.tif 000018
【図９】
2020514906.tif 000019
【図１０】
2020514906.tif 000020
【国際調査報告】
2020514906.tif 000021
2020514906.tif 000022
2020514906.tif 000023
2020514906.tif 000024
2020514906.tif 000025
2020514906.tif 000026
2020514906.tif 000027
2020514906.tif 000028
2020514906.tif 000029
2020514906.tif 000030